(57)【要約】【課題】  連動している第１のローラから第２のローラを経て記録部へ搬送する際に発生した記録媒体の斜行を取り除くことができる搬送装置及びその搬送装置を備えた記録装置を提供すること。【解決手段】  第１のローラ１５１と第２のローラ１５３の連動機構１７０に、第１のローラに対する搬送逆方向の回転駆動伝達を一定区間のみ遮断する遮断機構１７６を備え、当該遮断時に第２のローラを搬送逆方向に回転させて記録媒体の斜行を規正する。これにより、第２のローラのみを単独で回転させることができるので、第２のローラに至った後に発生した記録媒体の斜行を取り除くことができる。【選択図】      図９
2006036441.tif 000002
【特許請求の範囲】
【請求項１】
供給される記録媒体を連動している第１のローラから第２のローラを経て記録部へ搬送する搬送装置であって、
前記第１のローラと前記第２のローラの連動機構に、前記第１のローラに対する搬送逆方向の回転駆動伝達を一定区間のみ遮断する遮断機構を備え、当該遮断時に前記第２のローラを搬送逆方向に回転させて前記記録媒体の斜行を規正することを特徴とする搬送装置。
【請求項２】
前記遮断機構は、前記連動機構を構成する回転固定手段のバックラッシュを利用した機構であることを特徴とする請求項１に記載の搬送装置。
【請求項３】
前記回転固定手段は、回転軸に突設された突出部と、前記突出部の回転を規制する規制部とを有することを特徴とする請求項２に記載の搬送装置。
【請求項４】
前記遮断機構は、ワンウェイクラッチであることを特徴とする請求項１〜３の何れか一項に記載の搬送装置。
【請求項５】
記録媒体を搬送して記録する記録装置であって、
請求項１〜４の何れか一項に記載の搬送装置を備えたことを特徴とする記録装置。
【請求項６】
被噴射媒体に液体を噴射する液体噴射装置であって、
請求項１〜４の何れか一項に記載の搬送装置を備えたことを特徴とする液体噴射装置。
【発明の詳細な説明】
【技術分野】
【０００１】
本発明は、供給される記録媒体を連動している第１のローラから第２のローラを経て記録部へ搬送する搬送装置及びその搬送装置を備えた記録装置に関する。
【背景技術】
【０００２】
記録媒体として例えばＪＩＳ規格のＡ４判からＪＩＳ規格のＡ２判といった比較的大型のサイズの用紙にまで記録できる大型の記録装置の１つであるインクジェット式プリンタがある。このような大型のインクジェット式プリンタは、重量のある用紙を取り扱う関係上、小型のインクジェット式プリンタのように背面側から給紙して前面側に排紙することが困難であるため、前面側で給排紙するようになっている。
【０００３】
すなわち、インクジェット式プリンタの前面には、給紙トレイと排紙トレイが配設されている。この給紙トレイに収納された用紙は、給紙ローラにより取り出され、反転ローラとその従動ローラで挟持されて反転され、紙送りローラとその従動ローラで挟持されて記録部のプラテンに給紙される。そして、記録ヘッドからインク滴が吐出されて記録され、排紙ローラとその従動ローラで挟持されて排紙トレイに排紙されるようになっている。
【０００４】
このようなインクジェット式プリンタにおいては、用紙が斜行（スキュー）した状態で搬送されると、搬送途中で紙詰まり等の搬送エラーが発生したり、記録精度が低下するおそれがある。そこで、給紙ローラにより取り出された用紙の先端を反転ローラとその従動ローラのニップ点に突き当てることにより、用紙のスキューを取るようにしている。
【０００５】
【特許文献１】特開２００１−２３３４９９号公報
【発明の開示】
【発明が解決しようとする課題】
【０００６】
上述したインクジェット式プリンタは、給紙ローラのみを回転させることにより、給紙ローラから反転ローラに至る経路上で発生したスキューを取り除くことは可能である。ところが、紙送りローラに至った後は用紙が反転ローラ等と紙送りローラ等に挟持されており、反転ローラ等と紙送りローラは連動しているため、紙送りローラに至った後に発生したスキューを取り除くことができず、搬送エラーを引き起こしたり、記録ミスが発生するおそれがある。
【０００７】
本発明は、上記のような種々の課題に鑑みなされたものであり、その目的は、連動している第１のローラから第２のローラを経て記録部へ搬送する際に発生した記録媒体の斜行を取り除くことができる搬送装置及びその搬送装置を備えた記録装置と液体噴射装置を提供することにある。
【課題を解決するための手段】
【０００８】
上記目的達成のため、本発明の搬送装置では、供給される記録媒体を連動している第１のローラから第２のローラを経て記録部へ搬送する搬送装置であって、前記第１のローラと前記第２のローラの連動機構に、前記第１のローラに対する搬送逆方向の回転駆動伝達を一定区間のみ遮断する遮断機構を備え、当該遮断時に前記第２のローラを搬送逆方向に回転させて前記記録媒体の斜行を規正することを特徴としている。これにより、第２のローラのみを単独で回転させることができるので、第２のローラに至った後に発生した記録媒体の斜行を取り除くことができる。
【０００９】
また、前記遮断機構は、前記連動機構を構成する回転固定手段のバックラッシュを利用した機構であることを特徴としている。また、前記回転固定手段は、回転軸に突設された突出部と、前記突出部の回転を規制する規制部とを有することを特徴としている。また、遮断機構は、ワンウェイクラッチであることを特徴としている。これにより、遮蔽機構を簡易な構成とすることができる。
【００１０】
上記目的達成のため、本発明の記録装置では、記録媒体を搬送して記録する記録装置であって、上記各搬送装置を備えたことを特徴としている。また、本発明の液体噴射装置では、被噴射媒体に液体を噴射する液体噴射装置であって、上記各搬送装置を備えたことを特徴としている。これにより、上記各作用効果を奏する記録装置または液体噴射装置を提供することができる。
【発明を実施するための最良の形態】
【００１１】
図１は、本発明の一実施の形態に係る記録装置の１つであるインクジェット式プリンタの外観構成の全体を斜め前方から見た斜視図である。このインクジェット式プリンタ１００は、例えばＪＩＳ規格のＡ２判やＵＳＣ規格の１７インチといった比較的大型のサイズのいわゆるカットされた用紙やロール状の用紙に記録できる卓上型の大型のプリンタであり、全体が幅方向に長く延びる略直方体状のハウジング１０１で覆われている。
【００１２】
このハウジング１０１の上面には、矩形状の窓部１０２が形成されている。この窓部１０２は、透明もしくは半透明の窓カバー１０３によって覆われている。窓カバー１０３は、その上部の回動軸を中心に図示矢印ａ方向に回動可能に取り付けられている。ユーザは、窓カバー１０３を持ち上げて窓部１０２を開放することにより、窓部１０２を通して内部機構のメンテナンス作業等を行うことができる。
【００１３】
ハウジング１０１の前面両側には、複数のインクカートリッジが抜き差しされるカートリッジ収納部１０４がそれぞれ形成されている。各インクカートリッジは、記録用の各色のインクを貯留している。各カートリッジ収納部１０４は、透明もしくは半透明のカートリッジカバー１０５によって覆われている。カートリッジカバー１０５は、その下部の回動軸を中心に図示矢印ｂ方向に回動可能に取り付けられている。ユーザは、カートリッジカバー１０５を軽く押して係止部を外しカートリッジ収納部１０４を開放することにより、インクカートリッジの交換作業等を行うことができる。
【００１４】
ハウジング１０１の前面右側のカートリッジ収納部１０４の上部には、プリンタ動作を指示する操作部１１０が配設されている。操作部１１０は、パワーをオン・オフするパワー系、用紙の頭出し等を操作したりインクのフラッシング等を操作する操作系、画像処理等を行う処理系等のボタン１１１と、状態を表示する液晶パネル１１２等を備えている。ユーザは、液晶パネル１１２を見て確認しながらボタン１１１を操作することができる。
【００１５】
ハウジング１０１の前面右側のカートリッジ収納部１０４の下部には、廃液タンク１２０が抜き差しされるタンク収納部１０６が形成されている。この廃液タンク１２０は、記録ヘッド１６２（図５参照）のクリーニング処理時やインクカートリッジの交換時に廃棄される廃インクを貯留する。ユーザは、廃液タンク１２０を引き出すことにより、内部に溜まっている廃インクの廃棄作業等を行うことができる。
【００１６】
ハウジング１０１の背面には、ロール状の用紙を給紙する給紙部１３０が上部後方に突き出るように配設されている。給紙部１３０の内部には、１本のロール状の用紙がセット可能なロール紙ホルダが配設され、給紙部１３０の前面には、跳ね上げ式の開閉可能なロール紙カバー１３１がロール紙ホルダを覆うように取り付けられている。ユーザは、ロール紙カバー１３１を持ち上げて給紙部１３０を開放することにより、ロール状の用紙の取り付け・取り外し作業等を行うことができる。なお、ロール紙カバー１３１の上面は、カットされた用紙を手差しで給紙案内することが可能な給紙案内面に形成されている。
【００１７】
ハウジング１０１の前面中央、すなわち一対のカートリッジ収納部１０４の間には、記録前のカットされた用紙及び記録後のカットされた用紙またはロール状の用紙を積載する給排紙トレイ２００が抜き差しされる給排紙部１４０が形成されている。なお、この給排紙部１４０は、カットされた用紙を手差しで給紙することが可能なようにも形成されている。
【００１８】
この給排紙部１４０には、給排紙トレイ２００の前部が差し込まれ、給排紙トレイ２００の後部が突き出るようにして固定される。給排紙トレイ２００は、カセット型に形成されており、内部に記録前の給紙されるカットされた用紙が積層収納され、上部に記録後の排紙されるカットされた用紙またはロール状の用紙が積層載置されるようなっている。このような給排紙トレイ２００の詳細構造について、図２〜図４を参照して以下説明する。
【００１９】
図２は、上記給排紙トレイ２００の外観構成の全体を斜め前方から見た斜視図である。この給排紙トレイ２００は、箱状に形成された給紙トレイ２１０と、この給紙トレイ２１０の上面を覆う蓋状に形成された排紙トレイ２３０を備えている。給排紙トレイ２００は、給排紙方向に伸縮自在に形成されており、不使用のときはコンパクトに格納しておくことができ、また使用のときは種々のサイズのカットされた用紙に対応可能になっている。
【００２０】
図３及び図４は、給排紙トレイ２００が装着された給排紙部１４０を示す斜視図である。カットされた用紙を積層載置する場合は、図３に示すように、ロール紙案内部２４０は排紙部材２３９ａの上面に格納した状態、すなわち排紙部材２３９ａの上面はフラットな面にする。これにより、排紙ローラ１５５（図５参照）を通って排紙されるカットされた用紙は、断面がＬ字状に形成された案内部１４５の側面及び底面と排紙部材２３９ａ〜２３９ｄの上面とで形成される排紙受け面上にスムーズに積層載置される。
【００２１】
なお、案内部１４５の底面には、スポンジマット１４５ａが貼着されている。このスポンジマット１４５ａは、１枚目のカットされた用紙を載置した後、２枚目のカットされた用紙が排紙されてきたとき、２枚目のカットされた用紙の先端が１枚目のカットされた用紙を突付いて排紙受け面から突き落としてしまうことを防止するための滑り止めの機能を有している。
【００２２】
一方、ロール状の用紙を積層載置する場合は、図４に示すように、排紙部材２３９ａの上面に格納されているロール紙案内部２４０の第１の案内板２４１の他長辺側にユーザが指を掛けて後方に向かって旋回させる。すると、第２の案内板２４２が第１の案内板２４１に引っ張られて、長手方向の一端側が持ち上げられ、長手方向の他端側が排紙部材２３９ａの上面に形成されている溝２３９ａａに沿って後方に摺動する。そして、第１の案内板２４１と第２の案内板２４２とがなす角度が鋭角になるまで、第１の案内板２４１を旋回させる。
【００２３】
これにより、第２の案内板２４２は、その長手方向の一端側が案内部の側面の頂部に近接して滑り台状になる。このため、排紙ローラを通って排紙されるロール状の用紙がカールしていても、その先端が案内部側に巻き込まれてしまうことはなく、その先端は滑り台状の第２の案内板２４２上を滑走して排紙部材２３９ａ〜２３９ｄの上面側に導かれる。したがって、ロール状の用紙は、第２の案内板２４２と排紙部材２３９ａ〜２３９ｄの上面とで形成される排紙受け面上にスムーズに積層載置される。
【００２４】
図５は、図１のインクジェット式プリンタ１００の内部構成の概略を示す断面側面図である。ハウジング１０１内には、給排紙部１４０、本発明の特徴的な部分である搬送部（搬送装置）１５０、記録部１６０等が配設されている。給排紙部１４０には、カットされた用紙を給紙するためのホッパ１４１、給紙ローラ１４２、分離パッド１４９を有するパッド支持台１４３等が配設されている。
【００２５】
ホッパ１４１は、カットされた用紙が載置可能な平板状に形成されており、一端が給紙ローラ１４２とパッド支持台１４３の近傍に位置し、他端が装着されている給排紙トレイ２００の給紙部２１０の底面に近接して位置するように配設されている。そして、ホッパ１４１は、一端側の裏面にハウジング１０１の底面に一端が取り付けられた圧縮バネ１４４の他端が取り付けられており、この圧縮バネ１４４の伸縮により他端側を中心に一端側が旋回するように配設されている。
【００２６】
給紙ローラ１４２は、断面の一部が切り欠かれたＤ字状に形成されており、間欠的に回転してホッパ１４１上のカットされた用紙を摩擦搬送するようになっている。分離パッド１４９は、給紙ローラ１４２によりカットされた用紙が重送されたときに下層のカットされた用紙を最上層のカットされた用紙から摩擦分離するようになっている。ここで、ホッパ１４１上に載置されたカットされた用紙と給紙ローラ１４２との関係について図を参照して説明する。
【００２７】
図６は、ホッパ１４１上に載置されたカットされた用紙と給紙ローラ１４２との接触状態を示す図である。図６（Ａ）は、ホッパ１４１上に最大枚数のカットされた用紙Ｐが載置された場合であり、この場合はホッパ１４１が上昇したとき、最上層のカットされた用紙Ｐ１が給紙ローラ１４２の切り欠き部分には接触せず、少なくとも円弧開始点１４２ａ以降の円周に接触するように調節されている。
【００２８】
また、図６（Ｂ）は、ホッパ１４１上に最小枚数（１枚）のカットされた用紙Ｐ１が載置された場合であり、この場合はホッパ１４１が上昇したとき、そのカットされた用紙Ｐ１が給紙ローラ１４２の円弧開始点１４２ａから少し回転した点１４２ｂに接触するように調節されている。この接触点１４２ｂは、接触点１４２ｂから円弧終了点１４２ｃまでの円周長さが、用紙Ｐ１の先端ｐｓからサブローラ１５１とその従動ローラ１５２ａとの接触点１５１ａまでの間隔と同一長ａとなるときの点である。
【００２９】
以上のように調節することにより、ホッパ１４１上に載置されるカットされた用紙Ｐが最大枚数以下であれば、最上層のカットされた用紙Ｐ１の先端ｐｓがサブローラ１５１とその従動ローラ１５２ａとの接触点１５１ａに届くまで、カットされた用紙Ｐ１は給紙ローラ１４２からレリースされないので、カットされた用紙Ｐ１をサブローラ１５１に確実に受け渡すことができ、給紙ミスを無くすことができる。
【００３０】
本発明の特徴的な部分である搬送部１５０には、用紙を搬送するためのサブローラ（第１のローラ）１５１とその従動ローラ１５２ａ、１５２ｂ、１５２ｃ、紙送りローラ（第２のローラ）１５３とその従動ローラ１５４、排紙ローラ１５５とギザローラ１５６及び用紙を検知する検知センサ１５７ａ、１５７ｂ等が配設されている。サブローラ１５１は、給紙トレイ２１０から給紙されるカットされた用紙を排紙トレイ２３０に排紙するために、カットされた用紙を従動ローラ１５２ａ、１５２ｂ、１５２ｃとともに挟持してＵ字状に反転搬送させるようになっている。また、サブローラ１５１は、給紙部１３０から給紙されるロール状の用紙を排紙部２３０に排紙するために、ロール状の用紙を従動ローラ１５２ｃとともに挟持して搬送させるようになっている。
【００３１】
紙送りローラ１５３は、反転搬送されてきたカットされた用紙もしくは給紙されてくるロール状の用紙を従動ローラ１５４とともに挟持してプラテン１６３へ送り出すようになっている。この紙送りローラ１５３は、サブローラ１５１と連動するようになっており、詳細は後述する。排紙ローラ１５５は、プラテン１６３を通過してくる用紙をギザローラ１５６とともに挟持して排紙トレイ２３０上へ排紙するようになっている。検知センサ１５７ａは、給紙されてくるカットされた用紙のスキュー取りの際の搬送量を検知するようになっている。検知センサ１５７ｂは、反転搬送されてくるカットされた用紙もしくは搬送されてくるロール状の用紙の頭出しの際の搬送量を検知するようになっている。
【００３２】
記録部１６０には、キャリッジ１６１、記録ヘッド１６２等が配設されている。キャリッジ１６１は、図示しないキャリッジベルトに連結されており、図示しないキャリッジ駆動装置によってキャリッジベルトが作動すると、キャリッジベルトの動きに連行され、図示しないガイド軸に案内されて往復移動するようになっている。
【００３３】
記録ヘッド１６２は、例えば２種類のブラックインクを吐出する複数のブラックインク用記録ヘッドと、イエロー、ダークイエロー、シアン、ライトシアン、マゼンタ、ライトマゼンタの６色のインクをそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００３４】
図７は、本発明の特徴的な部分である搬送部１５０におけるサブローラ１５１及び紙送りローラ１５３とそれらの周辺部の詳細構成を示す側面図である。上述したように、サブローラ１５１と紙送りローラ１５３は連動するようになっている。この連動機構１７０は、プーリ軸１７１及びこのプーリ軸１７１に嵌入された中間プーリ１７２と、サブローラ１５１の回転軸１５１ａに嵌入された第１プーリ１７３と、図示しない紙送りモータにギア等により連接された紙送りローラ１５３に嵌入された第２プーリ１７４と、中間プーリ１７２、第１プーリ１７３、第２プーリ１７４に架け渡されたプーリベルト１７５を備えている。
【００３５】
紙送りモータの回転駆動は、ギアを介して紙送りローラ１５３から第２プーリ１７４に伝達され、プーリベルト１７５を介して中間プーリ１７２と第１プーリ１７３に伝達される。これにより、サブローラ１５１と紙送りローラ１５３は、同期して正回転、すなわち搬送方向に回転し、また逆回転、すなわち搬送逆方向に回転するようになっている。ここで、中間プーリ１７２及び第２プーリ１７４は、プーリ軸１７１及び紙送りローラ１５３に対して空回りしないように圧入されている。これに対し、第１プーリ１７３は、回転軸１５１ａに対して回転固定手段１７６を介して取り付けられている。
【００３６】
図８は、上記回転固定手段１７６と回転軸１５１ａと第１プーリ１７３の詳細を示す断面側面図である。この回転固定手段１７６は、回転軸１５１ａの外周面にて、円周方向に略１８０度隔てて径方向に突出して固定された２本のピン（突出部）１７７と、第１プーリ１７３の内周面にて、各ピン１７７が収納されて円周方向の回転を所定角度のみに規制する大きさに空けられた２つの溝（規制部）１７８を備えている。
【００３７】
このような構成の回転固定手段１７６によれば、第１プーリ１７３が回転しているとき、各ピン１７７が溝１７８の側壁に当接していれば回転軸１５１ａも回転し、第１プーリ１７３が回転していても、各ピン１７７が溝１７８の側壁に当接していなければ回転軸１５１ａは回転しないという、回転固定手段１７６のバックラッシュを利用した機構を構築することができる。すなわち、サブローラ１５１に対する搬送逆方向の回転駆動伝達を一定区間のみ遮断する遮断機構として機能させることができる。なお、このような遮断機構は、一方向のみの回転を伝達するワンウェイクラッチでも実現することができる。
【００３８】
このような構成において、インクジェット式プリンタ１００にてカットされた用紙に印刷する場合の動作について説明する。ユーザは、給排紙部１４０に装着された給排紙トレイ２００の給紙トレイ２１０内にカットされた用紙Ｐの束を収納する。積層収納されたカットされた用紙Ｐは、用紙束が給紙ローラ１４２の回転に機械的に同期した圧縮バネ１４４の復元によるホッパ１４１の上昇により給紙ローラ１４２に押付けられ、最上層のカットされた用紙Ｐのみが分離部４３により分離されて搬送部１５０へ給紙される。
【００３９】
そして、カットされた用紙Ｐは、図９（Ａ）に示すように、連動機構１７０の正回転により駆動されているサブローラ１５１とその従動ローラ１５２ａ、１５２ｂ、１５２ｃに挟持されてＵ字経路で反転、すなわち給紙方向とは逆方向に搬送される。そして、カットされた用紙Ｐの先端が検知センサ１５７ｂの検知位置に到達すると、カットされた用紙Ｐの印刷開始位置決めである頭出しが行われる。すなわち、カットされた用紙Ｐの先端が、検知位置から紙送りローラ１５３とその従動ローラ１５４の間を通って頭出し位置に到達するまで、検知センサ１５７ｂにより搬送量が検知され、この検知量にしたがって頭出しが制御される。
【００４０】
ここで用紙にスキューが発生した場合、連動機構１７０は逆回転する。このとき、第１プーリ１７３が逆回転しても、回転軸１５１ａに固定されたサブローラ１５１は、回転固定手段１７６のピン１７７が図９（Ａ）に示す溝１７８の右側壁に当接している状態から図９（Ｂ）に示す溝１７８の左側壁に当接する状態までは回転しないので、用紙Ｐは、図９（Ｂ）に示すように、紙送りローラ１５３とサブローラ１５１の間で撓むことになる。したがって、用紙Ｐは、先端が紙送りローラ１５３とその従動ローラ１５４のニップ点Ｎに到達するまでにスキュー取りが行われる。
【００４１】
スキュー取りが完了したカットされた用紙Ｐは、連動機構１７０の正回転により駆動されている紙送りローラ１５３とその従動ローラ１５４に挟持されて記録部１６０へ搬送される。そして、図示しない吸引ポンプによりプラテン１６３上に吸着されて平坦にされ、図示しないキャリッジモータとタイミングベルトにより走査されるキャリッジ１６１に搭載された記録ヘッド１６２により印刷される。
【００４２】
このとき、インクジェット式記録装置１００の制御部は、例えばイエロー、ダークイエロー、マゼンタ、ライトマゼンタ、シアン、ライトシアン、ブラックの計７色のインクカートリッジから記録ヘッド１６２へ各色インクを供給し、各色インクの吐出タイミング及びキャリッジ１６１や紙送りローラ１５３の駆動を制御して、高精度なインクドット制御、ハーフトーン処理等を実行する。そして、印刷が完了したカットされた用紙Ｐは、紙送りモータにより駆動されている排紙ローラ１５５とギザローラ１５６に挟持されて給排紙部１４０へ排紙され、給排紙トレイ２００の排紙トレイ２３０上へ積層載置される。
【００４３】
以上のように、本実施形態のインクジェット式プリンタ１００によれば、サブローラ１５１と紙送りローラ１５３の連動機構１７０に、サブローラ１５１に対する搬送逆方向の回転駆動伝達を一定区間のみ遮断する遮断機構を備え、当該遮断時に紙送りローラ１５３を搬送逆方向に単独で回転させることができ、紙送りローラ１５３に至った後に発生した用紙のスキューを取り除くことができ、高精度な搬送や記録を行うことができる。
【産業上の利用可能性】
【００４４】
搬送装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４５】
【図１】本発明の一実施の形態に係る記録装置の１つであるインクジェット式プリンタの外観構成の全体を斜め前方から見た斜視図である。
【図２】図１のプリンタの給排紙トレイの斜視図である。
【図３】図２の給排紙トレイの使用形態を示す斜視図である。
【図４】図２の給排紙トレイの別の使用形態を示す斜視図である。
【図５】図１のプリンタの内部構成の概略を示す断面側面図である。
【図６】図１のプリンタのホッパ上の用紙と給紙ローラとの接触状態を示す図である。
【図７】図１のプリンタのサブローラ及び紙送りローラとそれらの周辺部の詳細構成を示す側面図である。
【図８】図１のプリンタの回転固定手段と回転軸と第１プーリの詳細を示す断面側面図である。
【図９】図１のプリンタのサブローラ及び紙送りローラとそれらの周辺部の動作を示す側面図である。
【符号の説明】
【００４６】
１００  インクジェット式プリンタ、１０１  ハウジング、１０４  カートリッジ収納部、１０５  カートリッジカバー、１１０  操作部、１１１  ボタン、１１２  液晶パネル、１３０  給紙部、１４０  給排紙部、１４１  ホッパ、１４２  給紙ローラ、１４３  分離部材、１５０  搬送部、１５１  サブローラ、１５１ａ  回転軸、１５２ａ、１５２ｂ、１５２ｃ  従動ローラ、１５３  紙送りローラ、１５４  従動ローラ、１５５  排紙ローラ、１５６  従動ローラ、１６０  記録部、１６１  キャリッジ、１６２  記録ヘッド、１６３  プラテン、１７０  連動機構、１７１  プーリ軸、１７２  中間プーリ、１７３  第１プーリ、１７４  第２プーリ、１７５  プーリベルト、１７６  回転固定手段、１７７  ピン、１７８  溝、２００  給排紙トレイ、２１０  給紙トレイ、２３０  排紙トレイ
【図１】
2006036441.tif 000003
【図２】
2006036441.tif 000004
【図３】
2006036441.tif 000005
【図４】
2006036441.tif 000006
【図５】
2006036441.tif 000007
【図６】
2006036441.tif 000008
【図７】
2006036441.tif 000009
【図８】
2006036441.tif 000010
【図９】
2006036441.tif 000011